(57)【要約】【課題】本発明は、紙幣カセットの紙幣収容効率性の向上を図ることを目的とする。【解決手段】入金機の保管部に収容されて入金機に投入された紙幣を収容するとともに、保管部から取り外し可能な紙幣カセットは、入金機に投入された紙幣を内側に収容する本体部と、本体部の内側において、本体部に収容される紙幣を支持する紙幣台と、を備え、本体部は、紙幣カセットが保管部に収容された状態のときに、保管部に設けられた昇降可能なアームの先端側が本体部の内側に位置するようにアームの先端側が挿通されるスリットを備え、紙幣台は、スリットから挿通されたアームの先端側に支持されることによってアームとともに昇降する。【選択図】図４
2015005023.tif 000002
【特許請求の範囲】
【請求項１】
入金機の保管部に収容されて前記入金機に投入された紙幣を収容するとともに、前記保管部から取り外し可能な紙幣カセットであって、
前記入金機に投入された紙幣を内側に収容する本体部と、
前記本体部の内側において、前記本体部に収容される紙幣を支持する紙幣台と、を備え、
前記本体部は、前記紙幣カセットが前記保管部に収容された状態のときに、前記保管部に設けられた昇降可能なアームの先端側が前記本体部の内側に位置するように前記アームの先端側が挿通されるスリットを備え、
前記紙幣台は、前記スリットから挿通された前記アームの先端側に支持されることによって前記アームとともに昇降する、紙幣カセット。
【請求項２】
請求項１に記載の紙幣カセットにおいて、
前記本体部は、前記紙幣カセットが前記保管部に収容された状態のときに鉛直方向下方側に位置する底面部と、前記底面部と交差する側面部とを備えており、
前記スリットは、前記側面部と前記底面部とに亘って連続して形成されており、
前記側面部のスリットは、前記紙幣カセットが前記保管部に収容された状態のときに前記アームの昇降方向に沿う形状を有しており、
前記底面部のスリットは、前記アームの先端側の形状に沿った形状を有している、紙幣カセット。
【請求項３】
請求項２に記載の紙幣カセットにおいて、
前記底面部のスリットは、前記アームの先端側の形状に沿って折れ曲がっている、紙幣カセット。
【請求項４】
請求項３に記載の紙幣カセットにおいて、
前記本体部の内側には、前記紙幣カセットが前記保管部に収容された状態のときに前記昇降方向に沿うように延設された溝部が形成されており、
前記紙幣台の外周部には、前記溝部に係合する突起部が形成されており、
前記紙幣台は、前記突起部を前記溝部に係合させた状態で昇降する、紙幣カセット。
【請求項５】
投入された紙幣を紙幣カセットに収容する入金機であって、
請求項１から請求項４までのいずれか一項に記載の紙幣カセットを収容するとともに、前記紙幣カセットを取り外し可能な保管部と、
昇降可能なアームであって、前記保管部に収容された前記紙幣カセットのスリットを介して先端側が前記紙幣カセットの内側に位置するアームと、を備え、
前記アームは、前記紙幣カセットの内側において紙幣を支持する紙幣台を支持することによって前記紙幣台を昇降させる、入金機。
【発明の詳細な説明】
【技術分野】
【０００１】
本発明は、入金機に使用される紙幣カセットに関する。
【背景技術】
【０００２】
従来から、小売店等の店舗内に設置され、店舗の売り上げを入金するための入金機が知られている（特許文献１〜３）。この入金機は、紙幣投入部に投入される紙幣を一枚ずつ繰り出し、鑑別部での判別結果によって正常な紙幣を紙幣保管庫としての紙幣カセットへ収納し、リジェクト紙幣をリジェクト収納部からユーザーに返却する機構を備えている。紙幣カセットが紙幣で満杯になると、警備保障会社の係員等によって紙幣カセットが回収され、代わりに空の紙幣カセットが装填される。
【０００３】
売上高の大きい店舗に設置された入金機は、紙幣カセットが満杯になる頻度が高く、係員による回収回数を増やす必要があった。回収回数が増えると回収に要する人件費等が高くなる問題があった。この問題を解決するために、紙幣カセットを大きくすることが考えられる。
【先行技術文献】
【特許文献】
【０００４】
【特許文献１】特開２０１２−１４６０９４号公報
【特許文献２】特開２０１０−６７０７０号公報
【特許文献３】特開２００６−３５０４１５号公報
【発明の概要】
【発明が解決しようとする課題】
【０００５】
しかしながら、紙幣カセットを大きくした場合には、紙幣カセットの搬送が容易ではなくなるという問題があった。また、紙幣カセットを大きくした場合、入金機も大きくなるため、操作性の悪化や設置利便性の低下が生じる問題があった。このように、紙幣カセットにおいて大きさの増大を抑制しつつ紙幣の収容枚数を増やす技術、すなわち、紙幣カセットの紙幣収容効率性の向上に関する技術については、なお改善の余地があった。
【０００６】
本発明は、上記した課題の少なくとも一部を解決するためになされた発明であり、紙幣カセットの紙幣収容効率性の向上を図ることを目的とする。
【課題を解決するための手段】
【０００７】
上記課題の少なくとも一部を解決するために、本願発明は、入金機の保管部に収容されて紙幣を収容するとともに、保管部から取り外し可能な紙幣カセットが、紙幣を内側に収容する本体部と、本体部に収容される紙幣を支持する紙幣台と、を備え、本体部は、紙幣カセットが保管部に収容された状態のときに、保管部に設けられた昇降可能なアームの先端側が本体部の内側に位置するようにアームの先端側が挿通されるスリットを備え、紙幣台は、スリットから挿通されたアームの先端側に支持されることによってアームとともに昇降する。
【発明の効果】
【０００８】
本発明によれば、紙幣カセットの内側の紙幣台を昇降させるための機構部を紙幣カセットが備える必要がないため、紙幣カセットの紙幣収容効率性の向上を図ることができる。
【０００９】
なお、本発明は、上記以外の種々の形態で実現することが可能であり、例えば、上記紙幣カセットを収容する入金機、入金機の制御方法、その制御方法を実現するためのコンピュータープログラム、および、そのコンピュータープログラムを記録した記憶媒体等の形態で実現することができる。また、本発明に係る紙幣カセットは、適宜、他の部材と組み合わせて適用することができる。
【図面の簡単な説明】
【００１０】
【図１】第１実施例の入金機の概略構成を例示した説明図である。
【図２】紙幣搬送機構部および保管部の内部構成を例示した説明図である。
【図３】保管部の水平方向の断面構成を例示した説明図である。
【図４】紙幣カセットの概略構成を例示した説明図である。
【図５】紙幣カセットが収容された保管部の水平方向の断面構成を例示した説明図である。
【図６】紙幣カセットの使用方法を説明するための説明図である。
【図７】第２実施例の紙幣カセットが収容された保管部の水平方向の断面構成を例示した説明図である。
【発明を実施するための形態】
【００１１】
Ａ．第１実施例：
図１は、第１実施例の入金機１の概略構成を例示した説明図である。入金機１は、小売店や飲食店等の店舗内に設置され、売上金の紙幣や硬貨を入金して保管するための貨幣保管装置である。入金機１は、紙幣搬送機構部２と、硬貨搬送機構部４と、保管部５と、操作部６とを備えている。入金機１の表面には、紙幣投入口２２と、紙幣リジェクト取出口２３と、紙幣返却口２４と、硬貨投入口４２と、硬貨リジェクト取出口４３と、硬貨返却口４４が設けられている。
【００１２】
紙幣搬送機構部２は、紙幣投入口２２から投入された紙幣を鑑別し、正常と判別した紙幣を保管部５に搬送するか、または紙幣返却口２４から返却し、異常と判別した紙幣（リジェクト紙幣）を紙幣リジェクト取出口２３から返却する。紙幣搬送機構部２は、投入された紙幣を保管部５に保管させる「入金モード」のとき、正常と判別した紙幣を保管部５に搬送する。また、紙幣搬送機構部２は、投入された紙幣を入金させず計数のみをおこなう「計数モード」のとき、正常と判別した紙幣を紙幣返却口２４に搬送する。「入金モード」と「計数モード」の選択は、ユーザーが操作部６を操作することによっておこなわれる。
【００１３】
硬貨搬送機構部４は、硬貨投入口４２から投入された硬貨を鑑別し、「入金モード」のとき、正常と判別した硬貨を保管部５に搬送し、「計数モード」のとき、正常と判別した硬貨を硬貨返却口４４から返却する。硬貨搬送機構部４は、異常と判別した硬貨（リジェクト硬貨）を硬貨リジェクト取出口４３から返却する。
【００１４】
保管部５は、スライドによって入金機１の本体から引き出し可能に構成されている。保管部５は、入金機１の本体に格納された状態で施錠することで金庫して機能する。保管部５には、紙幣カセット（紙幣回収カートリッジ）１０を収容するための紙幣カセット収容部５１と、図示しない硬貨カセットを収容するための硬貨カセット収容５９とを備えている。
【００１５】
図２は、紙幣搬送機構部２および保管部５の内部構成を例示した説明図である。紙幣搬送機構部２は、紙幣投入口２２と、紙幣リジェクト取出口２３と、紙幣返却口２４のほか、紙幣受付部２５と、搬送路２６と、紙幣鑑別部２７と、リジェクト紙幣収納部２８と、一時保管部２９と、切換ゲート３０とを備えている。
【００１６】
紙幣受付部２５は、紙幣投入口２２から投入された紙幣を繰り出しローラーによって１枚ずつ搬送路２６に繰り出す。紙幣鑑別部２７は、搬送路２６上を搬送される紙幣の金種、真偽を判別する。切換ゲート３０は、紙幣鑑別部２７の判別結果によって、搬送される紙幣を一時保管部２９に搬送するか、リジェクト紙幣収納部２８に搬送するかの切り換えをおこなう。具体的には、切換ゲート３０は、紙幣鑑別部２７によって正常と判別された紙幣を一時保管部２９に搬送し、リジェクト紙幣と判別された紙幣をリジェクト紙幣収納部２８に搬送するように切り換えをおこなう。リジェクト紙幣収納部２８は、内部にリジェクト紙幣が収納され、紙幣リジェクト取出口２３を介してユーザーが取り出し可能に構成されている。
【００１７】
一時保管部２９は、内部に正常な紙幣が収納され、「入金モード」のときには、下方のシャッターが開くことによって、内部の紙幣を、紙幣カセット収容部５１に収容された紙幣カセット１０（図１）に向けて落下させる。これにより、紙幣カセット１０の内部に紙幣が収容される。一方、一時保管部２９は、「計数モード」のとき、紙幣返却口２４に設けられた返却扉のロックを解除して、ユーザーが内部の紙幣を取り出し可能に構成されている。
【００１８】
保管部５は、保管部５を入金機１の本体に対して出し入れ可能に構成されており、入金機１の本体に格納されたときに、紙幣カセット収容部５１が一時保管部２９の下方に位置するように構成されている。保管部５は、アーム５２と、ベルト５３と、プーリー５４と、モーター５５と、シャフト５６と、検知センサー６１、６２、６３と、を備えている。
【００１９】
アーム５２は、アーム駆動機構（ベルト５３、プーリー５４、モーター５５、および、シャフト５６）によって、昇降可能に構成されている。アーム５２は、先端部５２１と基端部５２２とを含んでおり、先端部５２１が紙幣カセット収容部５１において昇降可能に構成されている。ベルト５３は、一対のプーリー５４の間に架設され、一部にアーム５２の基端部５２２が固定されている。ベルト５３はモーター５５によって駆動し、アーム５２を昇降させる。シャフト５６は、長手方向が鉛直方向に沿うように固定され、モーター５５の駆動時にアーム５２が鉛直方向に沿って摺動するように構成されている。
【００２０】
検知センサー６１、６２、６３は、紙幣カセット収容部５１の内側において、鉛直方向の高い位置から順に並んで配置されている。検知センサー６１、６２、６３は、紙幣カセット収容部５１に紙幣カセット１０（図１）が収容されたときに、紙幣カセット１０の内部の紙幣台１４（図４）の位置、または紙幣カセット１０内部の紙幣の位置を検出する。検知センサー６１、６２、６３は、発光部と受光部とを含んで構成されており、発光部からの光が紙幣台１４または紙幣によって遮られたときに、紙幣台１４または紙幣が特定の位置にあることを検出する。
【００２１】
図３は、保管部５の水平方向の断面構成を例示した説明図である。アーム５２は、基端部５２２が一対のシャフト５６の間に配置され、先端部５２１が基端部５２２から紙幣カセット収容部５１の内側に向けて水平方向に延伸している。アーム５２の先端部５２１は、２本の略直線状の棒状部を含んでおり、この２本の棒状部が互いに平行に並んだ構成を備えている。
【００２２】
図４は、紙幣カセット１０の概略構成を例示した説明図である。図４（ａ）は、紙幣カセット１０を斜め上方から見た斜視図である。図４（ａ）の破線は、紙幣カセット１０の内部や背面側の構成を示している。図４（ｂ）は、紙幣カセット１０を斜め下方から見た斜視図である。紙幣カセット１０は、本体部１１と、蓋部材１２と、取っ手部材１３と、紙幣台１４とを備えている。以後、紙幣カセット１０が紙幣カセット収容部５１に収容されている状態のときに、紙幣カセット１０において、鉛直方向上方側（図４の上方側）となる部分を紙幣カセット１０の上部と呼び、鉛直方向下方側（図４の下方側）を底部とも呼ぶ。
【００２３】
本体部１１は、上部に開口部１１ｐが形成された略直方形状の筺体であり、底部には底面部１１ｂが形成され、底面部１１ｂと開口部１１ｐとの間には側面部１１ａが形成されている。底面部１１ｂと側面部１１ａはほぼ直交している。側面部１１ａと底面部１１ｂには、スリット１５が形成され、側面部１１ａには、孔部１６が形成されている。
【００２４】
スリット１５は、紙幣カセット１０が紙幣カセット収容部５１（図２）に収容されているときに、アーム５２の先端部５２１（図２）が本体部１１の内側に位置するように挿通される細長い開口部である。スリット１５は、側面部１１ａにおいて鉛直方向に沿って２本形成され、それぞれ、側面部１１ａと底面部１１ｂとの接線を跨いで、底面部１１ｂの中間部付近まで延設されている。側面部１１ａのスリット１５ａは、紙幣カセット１０が紙幣カセット収容部５１に収容されているときに、アーム５２の昇降方向に沿うように略直線状に形成されている。底面部１１ｂのスリット１５ｂは、後述するように、アーム５２の先端部５２１の形状に沿った形状を有しており（図５）、ここでは、略直線状に形成されている。
【００２５】
孔部１６は、互いに対向する２つの側面部１１ａにおいて、それぞれ鉛直方向に沿って３つ並んで形成されている。すなわち、孔部１６は、互いに対向する２つの側面部１１ａを貫通するように形成されている。これにより、紙幣カセット１０が紙幣カセット収容部５１に収容されているときに、検知センサー６１、６２、６３の発光部および受光部とそれぞれ対向するように形成されている。そのため、本体部１１に遮られることなく検知センサー６１、６２、６３の発光部からの光を受光部に到達させることができる。
【００２６】
蓋部材１２は、略矩形の平板状の部材であり、本体部１１の上部に開閉可能に取り付けられている。蓋部材１２は、閉状態のときに開口部１１ｐを塞ぐように構成されている。取っ手部材１３は、両側が折れ曲がった長尺状の部材であり、両端部が本体部１１の側面部１１ａの上方に回動可能に取り付けられている。取っ手部材１３は、紙幣カセット収容部５１への紙幣カセット１０の出し入れや、紙幣カセット１０の搬送時等に係員等によって使用される。
【００２７】
紙幣台１４は、側面部１１ａの内側の形状に沿った平面形状の底板部材であり、本実施例では、略矩形形状を有している。紙幣台１４は、本体部１１の内側に配置され、本体部１１に収容される紙幣を支持する。後述するように、紙幣台１４は、アーム５２（図２）に支持されることによって、本体部１１の内部を昇降する。紙幣台１４は、紙幣を載置可能な形状であれば、板状である必要はなく、例えば、脚部や溝部などが形成されていてもよい。
【００２８】
図５は、紙幣カセット１０が収容された保管部５の水平方向の断面構成を例示した説明図である。アーム５２は、紙幣カセット１０の底面部１１ｂのスリット１５ｂを介して先端部５２１が紙幣台１４の底面部と接触するように構成されている。アーム５２は、紙幣台１４の底面部と接触することで紙幣台１４を支持し、自身の昇降にともなって紙幣台１４を昇降させる。
【００２９】
図６は、紙幣カセット１０の使用方法を説明するための説明図である。まず、図６（ａ）に示すように、入金機１から保管部５を引き出し、紙幣カセット１０を紙幣カセット収容部５１に挿入する。挿入後、紙幣カセット１０の蓋部材１２を開けた状態で保管部５を入金機１の本体に格納する。
【００３０】
入金機１は、係員による操作部６（図１）の操作、または図示しない検知センサーによって紙幣カセット１０が紙幣カセット収容部５１に収容されたことを検出すると、図６（ｂ）に示すように、アーム５２を上昇させる。アーム５２は、紙幣カセット１０のスリット１５（図４）を介して紙幣台１４の底面部と接触して紙幣台１４を持ち上げる。入金機１は、検知センサー６１が紙幣台１４を検出するまでアーム５２によって紙幣台１４を上昇させる。入金機１は、検知センサー６１が紙幣台１４を検出すると、検出した位置から所定距離下方の位置に紙幣台１４を移動させ停止する。
【００３１】
入金機１は、一時保管部２９から紙幣カセット１０に向けて紙幣を落下させ、図６（ｃ）に示すように、紙幣台１４の上部に順に積層させる。積層された紙幣を検知センサー６１が検出すると、入金機１は、アーム５２を下降させて、積層された紙幣の上端の位置を検知センサー６１が検出しない位置に移動させる。このようにすることによって、積層された紙幣の上端の紙幣と、一時保管部２９の底面部との間の距離を一定に保つことができる。これにより、一時保管部２９から投下された紙幣が、紙幣カセット１０の内部でばらけることを抑制できる。入金機１は、検知センサー６２が紙幣台１４を検出すると、紙幣カセット１０が満杯であると判断し、専用回線などを介して係員に通知する。
【００３２】
以上説明した第１実施例の紙幣カセット１０によれば、紙幣台１４を昇降させるための機構を備えていないため、紙幣カセットの紙幣収容効率性の向上を図ることができる。具体的には、第１実施例の紙幣カセット１０は、紙幣台１４の昇降を入金機１に設けられたアーム５２によっておこなうように構成されている。そのため、紙幣カセット１０には、紙幣台１４を昇降させるためのモーターやベルト、プーリー、シャフトなどを備えておらず、この分だけ小型化や軽量化を図ることができる。また、第１実施例の紙幣カセット１０は、紙幣台１４が入金機１のアーム５２に支持されることによって、本体部１１に収容された紙幣と入金機１の一時保管部２９との間の距離を一定に保つことができる。そのため、紙幣カセット１０の代わりに袋を使用した場合に比べて、一時保管部２９から投下された紙幣が内部でばらけることをより抑制できる。これにより、収容した紙幣の計数をより容易にすることができる。
【００３３】
Ｂ．第２実施例：
図７は、第２実施例の紙幣カセット１０Ａが収容された保管部５Ａの水平方向の断面構成を例示した説明図である。図７は、第１実施例の図５に対応している。第２実施例の紙幣カセット１０Ａは、第１実施例の紙幣カセット１０（図５）と比較して、スリットの形状と、本体部の内側の形状と、紙幣台の形状が異なる。また、第２実施例の保管部５Ａは、アーム５２Ａの形状が第１実施例の保管部５（図５）のアーム５２と異なる。第２実施例のアーム５２Ａは、先端部５２１Ａがクランク状に折れ曲がっている。
【００３４】
紙幣カセット１０Ａのスリット１５Ａは、底面部１１ｂのスリット１５Ａｂがアーム５２Ａの先端部５２１Ａの形状に沿って折れ曲がっている。このような形状とすることによって、紙幣カセット１０Ａに収容されている紙幣が底面部１１ｂのスリット１５Ａｂから外部に出ることを抑制できる。
【００３５】
紙幣カセット１０Ａの本体部１１は、内側に複数の溝部１９が形成されている。溝部１９は、矩形の断面を有し、紙幣カセット１０Ａが保管部５Ａに収容された状態のときにアーム５２Ａの昇降方向（鉛直方向）に沿うように延設されている。また、第２実施例の紙幣台１４Ａは、外周部に複数の突起部１４１を備えている。各突起部１４１は、それぞれ、矩形形状を有し、各溝部１９にそれぞれ係合するように構成されている。紙幣台１４Ａは、この突起部１４１を本体部１１の溝部１９に係合させた状態で昇降するように構成されている。このようにすることによって、本体部１１の内周面と紙幣台１４の外周部との間から紙幣が紙幣台１４の下方側に回り込むことを抑制することができる。また、紙幣台１４が水平方向を回転軸として回転することを抑制することができる。
【００３６】
Ｃ．変形例：
なお、本発明は上記した実施例に限定されるものではなく、様々な変形例が含まれる。例えば、上記した実施例は本発明をわかりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し実行することによりソフトウェアで実現してもよい。各機能を実現するプログラム。テーブル、ファイル等の情報は、メモリや、ハードディスク、ＳＳＤ（Solid State Drive）等の記憶装置、または、ＩＣカード、ＳＤカード、ＤＶＤ等の記憶媒体に置くことができる。また、制御線や情報線は説明上必要と考えられるものを示しており、製品上必ずしも全ての制御線や情報線を示しているとは限らない。実際にはほとんど全ての構成が相互に接続されていると考えてもよい。
【００３７】
Ｃ１．変形例１：
第１実施例では、紙幣カセット１０のスリット１５（図４）は、２本形成されているものとして説明したが、スリット１５の本数に限定はなく任意の本数とすることができる。例えば、紙幣カセット１０は、スリット１５を１本のみ備えていてもおいし、３本以上備えていてもよい。また、紙幣カセット１０は、蓋部材１２や取っ手部材１３の少なくとも一部を備えていなくてもよい。
【００３８】
Ｃ２．変形例２：
第２実施例では、紙幣カセット１０Ａのスリット１５Ａは、底面部１１ｂのスリット１５Ａｂがクランク状に沿って折れ曲がっているが、底面部１１ｂのスリット１５Ａｂの形状には特に限定はない。底面部１１ｂのスリット１５Ａｂは、ギザギザに折れ曲がっていてもよいし、曲線状に曲がっていてもよい。また、第２実施例の構成はその一部のみを第１実施例の構成と組み合わせてもよい。例えば、紙幣カセット１０Ａは、紙幣台１４に突起部１４１を備えているが、底面部１１ｂのスリット１５Ａｂが直線状であってもよい。
【符号の説明】
【００３９】
１…入金機
２…紙幣搬送機構部
４…硬貨搬送機構部
５、５Ａ…保管部
６…操作部
１０、１０Ａ…紙幣カセット
１１…本体部
１１ａ…側面部
１１ｂ…底面部
１１ｐ…開口部
１２…蓋部材
１３…取っ手部材
１４、１４Ａ…紙幣台
１４１…突起部
１５、１５Ａ…スリット
１６…孔部
１９…溝部
２２…紙幣投入口
２３…紙幣リジェクト取出口
２４…紙幣返却口
２５…紙幣受付部
２６…搬送路
２７…紙幣鑑別部
２８…リジェクト紙幣収納部
２９…一時保管部
３０…切換ゲート
４２…硬貨投入口
４３…硬貨リジェクト取出口
４４…硬貨返却口
５１…紙幣カセット収容部
５２、５２Ａ…アーム
５２１、５２１Ａ…先端部
５２２…基端部
５３…ベルト
５４…プーリー
５５…モーター
５６…シャフト
５９…硬貨カセット収納部
６１〜６３…検知センサー
【図１】
2015005023.tif 000003
【図２】
2015005023.tif 000004
【図３】
2015005023.tif 000005
【図４】
2015005023.tif 000006
【図５】
2015005023.tif 000007
【図６】
2015005023.tif 000008
【図７】
2015005023.tif 000009